(57)【要約】【課題】    本発明の目的は、粘着部を有したマスクを提供するものである。【解決手段】    マスクＭは、矩形形状であるマスク本体１と、このマスク本体１の左端部に沿って取り付けられ、左耳掛け部２の取付部である左取付体４と、マスク本体１の右端部に沿って取り付けられ、右耳掛け部３の取付部である右取付体５と、マスク本体１の上端縁の近傍であって、該上端縁に平行に沿って設けられると共に、一端を左取付体４とマスク本体１との間に、他端を右取付体５とマスク本体１との間に位置した剥離紙付き両面テープ６と、この剥離紙付き両面テープ６は、一方の面の粘着部がマスク本体１に付着し、他方の面の粘着部６ａに剥離紙６ｂが付着しているものである。【選択図】図１
2010110336.tif 000002
【特許請求の範囲】
【請求項１】
矩形形状であるマスク本体と、
このマスク本体の左端部に沿って取り付けられ、左耳掛け部の取付部である左取付体と、
前記マスク本体の右端部に沿って取り付けられ、右耳掛け部の取付部である右取付体と、
前記マスク本体の上端縁の近傍であって、該上端縁に平行に沿って設けられると共に、一端を前記左取付体と前記マスク本体との間に、他端を前記右取付体と前記マスク本体との間に位置した剥離紙付き両面テープと、
この剥離紙付き両面テープは、一方の面の粘着部が前記マスク本体に付着し、他方の面の粘着部に剥離紙が付着している
ことを特徴とするてマスク。
【請求項２】
矩形形状であるマスク本体と、
このマスク本体の左端部に沿って取り付けられ、左耳掛け部の取付部である左取付体と、
前記マスク本体の右端部に沿って取り付けられ、右耳掛け部の取付部である右取付体と、
前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、
この剥離紙付き上両面テープは、一方の面の粘着部が前記マスク本体に付着し、他方の面の粘着部に剥離紙が付着し、
前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、
この剥離紙付き下両面テープは、一方の面の粘着部が前記マスク本体に付着し、他方の面の粘着部に剥離紙が付着している
ことを特徴とするてマスク。
【請求項３】
矩形形状であるマスク本体と、
このマスク本体の左端部を覆うと共に、前記マスク本体の左端部に沿って取り付けられた左取付体と、
前記マスク本体の右端部を覆うと共に、前記マスク本体の右端部に沿って取り付けられた右取付体と、
このマスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、
この剥離紙付き上両面テープは、一方の面の粘着部が前記マスク本体に付着し、他方の面の粘着部に剥離紙が付着し、
前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、
この剥離紙付き下両面テープは、一方の面の粘着部が前記マスク本体に付着し、他方の面の粘着部に剥離紙が付着し、
左耳掛け部及び右耳掛け部を省略している
ことを特徴とするてマスク。
【請求項４】
矩形形状であるマスク本体と、
このマスク本体の左端部に沿って取り付けられ、左耳掛け部の取付部である左取付体と、
前記マスク本体の右端部に沿って取り付けられ、右耳掛け部の取付部である右取付体と、
前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、
この剥離紙付き上両面テープは、一方の面の粘着部が前記マスク本体に付着し、他方の面の粘着部に剥離紙が付着し、
前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、
この剥離紙付き下両面テープは、一方の面の粘着部が前記マスク本体に付着し、他方の面の粘着部に剥離紙が付着し、
前記左取付体に沿って設けられた剥離紙付き左両面テープと、
この剥離紙付き左両面テープは、一方の面の粘着部が前記左取付体に付着し、他方の面の粘着部に剥離紙が付着し、
前記右取付体に沿って設けられた剥離紙付き右両面テープと、
この剥離紙付き右両面テープは、一方の面の粘着部が前記右取付体に付着し、他方の面の粘着部に剥離紙が付着している
ことを特徴とするてマスク。
【請求項５】
矩形形状であるマスク本体と、
このマスク本体の左端部を覆うと共に、前記マスク本体の左端部に沿って取り付けられた左取付体と、
前記マスク本体の右端部を覆うと共に、前記マスク本体の右端部に沿って取り付けられた右取付体と、
前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、
この剥離紙付き上両面テープは、一方の面の粘着部が前記マスク本体に付着し、他方の面の粘着部に剥離紙が付着し、
前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、
この剥離紙付き下両面テープは、一方の面の粘着部が前記マスク本体に付着し、他方の面の粘着部に剥離紙が付着し、
前記左取付体に沿って設けられた剥離紙付き左両面テープと、
この剥離紙付き左両面テープは、一方の面の粘着部が前記左取付体に付着し、他方の面の粘着部に剥離紙が付着し、
前記右取付体に沿って設けられた剥離紙付き右両面テープと、
この剥離紙付き右両面テープは、一方の面の粘着部が前記右取付体に付着し、他方の面の粘着部に剥離紙が付着し、
左耳掛け部及び右耳掛け部を省略している
ことを特徴とするてマスク。
【発明の詳細な説明】
【技術分野】
【０００１】
本発明は、マスクに係り、特に、粘着部を有したマスクに関する。
【０００２】
従来、粘着部を有したマスクがある（例えば、特許文献１参照）。
【特許文献１】特開２００６−２８８６５０号公報
【発明の開示】
【発明が解決しようとする課題】
【０００３】
このマスクにあっては、装着したとき、呼気によりメガネが曇ったり、また、ホコリ、花粉等の侵入を防ぐために、粘着部でマスクと顔面との密着性を図るようにしている。
しかしながら、上記マスクにあっては、マスクの粘着部が露出しているため、マスクの粘着部を嫌う人には、該マスクの使用ができず、しかも、常時、マスクの粘着部が露出していると、粘着部にホコリ等が付着し、粘着強度を低下させるという問題点があった。 
【０００４】
本発明は、上記の問題点を除去するようにしたマスクを提供することを目的とする。
【課題を解決するための手段】
【０００５】
本発明のマスクは、矩形形状であるマスク本体と、このマスク本体の左端部に沿って取り付けられ、左耳掛け部の取付部である左取付体と、前記マスク本体の右端部に沿って取り付けられ、右耳掛け部の取付部である右取付体と、前記マスク本体の上端縁の近傍であって、該上端縁に平行に沿って設けられると共に、一端を前記左取付体と前記マスク本体との間に、他端を前記右取付体と前記マスク本体との間に位置した剥離紙付き両面テープと、この剥離紙付き両面テープは、一方の面の粘着部が前記マスク本体に付着し、他方の面の粘着部に剥離紙が付着しているものである。
【０００６】
また、請求項２記載のマスクは、矩形形状であるマスク本体と、このマスク本体の左端部に沿って取り付けられ、左耳掛け部の取付部である左取付体と、前記マスク本体の右端部に沿って取り付けられ、右耳掛け部の取付部である右取付体と、前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、この剥離紙付き上両面テープは、一方の面の粘着部が前記マスク本体に付着し、他方の面の粘着部に剥離紙が付着し、前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、この剥離紙付き下両面テープは、一方の面の粘着部が前記マスク本体に付着し、他方の面の粘着部に剥離紙が付着しているものである。
【０００７】
また、請求項３記載のマスクは、矩形形状であるマスク本体と、このマスク本体の左端部を覆うと共に、前記マスク本体の左端部に沿って取り付けられた左取付体と、前記マスク本体の右端部を覆うと共に、前記マスク本体の右端部に沿って取り付けられた右取付体と、このマスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、この剥離紙付き上両面テープは、一方の面の粘着部が前記マスク本体に付着し、他方の面の粘着部に剥離紙が付着し、前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、この剥離紙付き下両面テープは、一方の面の粘着部が前記マスク本体に付着し、他方の面の粘着部に剥離紙が付着し、左耳掛け部及び右耳掛け部を省略しているものである。
【０００８】
また、請求項４記載のマスクは、矩形形状であるマスク本体と、このマスク本体の左端部に沿って取り付けられ、左耳掛け部の取付部である左取付体と、前記マスク本体の右端部に沿って取り付けられ、右耳掛け部の取付部である右取付体と、前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、この剥離紙付き上両面テープは、一方の面の粘着部が前記マスク本体に付着し、他方の面の粘着部に剥離紙が付着し、前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、この剥離紙付き下両面テープは、一方の面の粘着部が前記マスク本体に付着し、他方の面の粘着部に剥離紙が付着し、前記左取付体に沿って設けられた剥離紙付き左両面テープと、この剥離紙付き左両面テープは、一方の面の粘着部が前記左取付体に付着し、他方の面の粘着部に剥離紙が付着し、前記右取付体に沿って設けられた剥離紙付き右両面テープと、この剥離紙付き右両面テープは、一方の面の粘着部が前記右取付体に付着し、他方の面の粘着部に剥離紙が付着しているものである。
【０００９】
また、請求項５記載のマスクは、矩形形状であるマスク本体と、このマスク本体の左端部を覆うと共に、前記マスク本体の左端部に沿って取り付けられた左取付体と、前記マスク本体の右端部を覆うと共に、前記マスク本体の右端部に沿って取り付けられた右取付体と、前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、この剥離紙付き上両面テープは、一方の面の粘着部が前記マスク本体に付着し、他方の面の粘着部に剥離紙が付着し、前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、この剥離紙付き下両面テープは、一方の面の粘着部が前記マスク本体に付着し、他方の面の粘着部に剥離紙が付着し、前記左取付体に沿って設けられた剥離紙付き左両面テープと、この剥離紙付き左両面テープは、一方の面の粘着部が前記左取付体に付着し、他方の面の粘着部に剥離紙が付着し、前記右取付体に沿って設けられた剥離紙付き右両面テープと、この剥離紙付き右両面テープは、一方の面の粘着部が前記右取付体に付着し、他方の面の粘着部に剥離紙が付着し、左耳掛け部及び右耳掛け部を省略しているものである。
【発明の効果】
【００１０】
請求項１記載の使い捨てマスクによれば、剥離紙付き両面テープを使用しているため、マスクの装着に当たって、粘着部の使用を嫌う使用者には、剥離紙を剥がさず、そのまま使用するマスクを提供してマスクの使用の選択ができ、しかも、剥離紙付き両面テープは、一端を左取付体とマスク本体との間に、他端を右取付体とマスク本体との間に位置し、マスク本体の上端縁に平行に沿って設けられているため、剥離紙付き両面テープの取り付けが強固で、剥離紙付き両面テープがマスク本体から離脱するのを防ぎ、仮に、剥離紙を剥がす際、誤って、粘着部を剥がしても、剥離紙付き両面テープの両端、つまり、剥離紙付き両面テープの一端が左取付体とマスク本体との間に、剥離紙付き両面テープの他端が右取付体とマスク本体との間に、それぞれ位置しているため、剥離紙付き両面テープがマスク本体から離脱せず、再度、粘着部をマスク本体に付着させて容易に手直しをすることができる。
【００１１】
また、請求項２記載の使い捨てマスクによれば、剥離紙付き上両面テープ（又は、剥離紙付き下両面テープ）を使用しているため、マスクの装着に当たって、粘着部の使用を嫌う使用者には、剥離紙を剥がさず、そのまま使用するマスクを提供して、マスクの使用の選択ができ、しかも、剥離紙付き上両面テープ（又は、剥離紙付き下両面テープ）は、一端を左取付体とマスク本体との間に、他端を右取付体とマスク本体との間に位置し、マスク本体の上端縁に平行に沿って設けられているため、剥離紙付き上両面テープ（又は、剥離紙付き下両面テープ）の取り付けが強固で、剥離紙付き上両面テープ（又は、剥離紙付き下両面テープ）がマスク本体から離脱するのを防ぎ、仮に、剥離紙を剥がす際、誤って、粘着部を剥がしても、剥離紙付き上両面テープ（又は、剥離紙付き下両面テープ）の両端、つまり、剥離紙付き上両面テープ（又は、剥離紙付き下両面テープ）の一端が左取付体とマスク本体との間に、剥離紙付き上両面テープ（又は、剥離紙付き下両面テープ）の他端が右取付体とマスク本体との間に、それぞれ位置しているため、剥離紙付き上両面テープ（又は、剥離紙付き下両面テープ）がマスク本体から離脱せず、再度、粘着部をマスク本体に付着させて容易に手直しをすることができる。
【００１２】
また、請求項３記載の使い捨てマスクによれば、前述した請求項２記載の発明の効果に加え、上両面テープ及び下両面テープの顔面への付着により、マスクを装着することができるため、左耳掛け部及び右耳掛け部を省略することができる。
【００１３】
また、請求項４記載のマスクによれば、剥離紙付き上両面テープ（又は、剥離紙付き下両面テープ、剥離紙付き左両面テープ、剥離紙付き右両面テープ）を使用しているため、マスクの装着に当たって、粘着部の使用を嫌う使用者には、剥離紙を剥がさず、そのまま使用するマスクを提供して、マスクの使用の選択ができ、しかも、剥離紙付き上両面テープ（又は、剥離紙付き下両面テープ）は、一端を左取付体とマスク本体との間に、他端を右取付体とマスク本体との間に位置し、マスク本体の上端縁に平行に沿って設けられているため、剥離紙付き上両面テープ（又は、剥離紙付き下両面テープ）の取り付けが強固で、剥離紙付き上両面テープ（又は剥離紙付き下両面テープ）がマスク本体から離脱するのを防ぎ、仮に、剥離紙を剥がす際、誤って、粘着部を剥がしても、剥離紙付き上両面テープ（又は、剥離紙付き下両面テープ）の両端、つまり剥離紙付き上両面テープ（又は、剥離紙付き下両面テープ）の一端が左取付体とマスク本体との間に、剥離紙付き上両面テープ（又は、剥離紙付き下両面テープ）の他端が右取付体とマスク本体との間に、それぞれ位置しているため、剥離紙付き上両面テープ（又は、剥離紙付き下両面テープ）がマスク本体から離脱せず、再度、粘着部をマスク本体に付着させて容易に手直しをすることができ、更に、剥離紙付き上両面テープ、剥離紙付き下両面テープ、剥離紙付き左両面テープ、剥離紙付き右両面テープを、左取付体及び右取付体を介在させて、マスク本体の周縁を粘着部で覆い、マスク本体を介さない空気の侵入を阻止することができる。
【００１４】
また、請求項５記載の使い捨てマスクによれば、前述した請求項４記載の発明の効果に加え、上両面テープ、下両面テープ、左両面テープ及び右両面テープの顔面への付着により、マスクを装着することができるため、左耳掛け部及び右耳掛け部を省略することができる。
【発明を実施するための最良の形態】
【００１５】
本発明の一実施例のマスクを図面を参照して説明する。
（実施例１）
図１〜図７に示すＭはマスクで、マスクＭは、平面視、矩形形状であるマスク本体１を有し、このマスク本体１の上端縁に平行な複数の折り目１１、１１、１１が設けられている。
２は左耳掛け部で、３は右耳掛け部である。また、４は、左耳掛け部２の取付部である左取付体で、左取付体４は、マスク本体１の左端部を覆うと共に、マスク本体１の左端部に沿って取り付けられている。また、５は、右耳掛け部の取付部である右取付体で、右取付体５は、マスク本体１の右端部を覆うと共に、マスク本体１の右端部に沿って取り付けられている。
【００１６】
図５に示す６は、マスク本体１の上端縁の近傍であって、該上端縁に平行に沿って設けられた剥離紙付き上両面テープで、剥離紙付き上両面テープ６は、図４に示すように、一端を左取付体４とマスク本体１との間に、他端を右取付体５とマスク本体１との間に位置し、この剥離紙付き上両面テープ６は、一方の面の粘着部がマスク本体１に付着し、他方の面の粘着部６ａに剥離紙６ｂが付着している。
また、７は、マスク本体１の下端縁の近傍であって、該下端縁に平行に沿って設けられた剥離紙付き下両面テープで、剥離紙付き下両面テープ７は、剥離紙付き上両面テープ６と同様に、一端を左取付体４とマスク本体１との間に、他端を右取付体５とマスク本体１との間に位置し、この剥離紙付き下両面テープ７は、一方の面の粘着部がマスク本体１に付着し、他方の面の粘着部７ａに剥離紙７ｂが付着している。
【００１７】
従って、上述したマスクＭによれば、剥離紙付き上両面テープ６（又は，剥離紙付き下両面テープ７）を使用しているため、マスクＭの装着に当たって、粘着部６ａ、７ａの使用を嫌う使用者には、剥離紙６ｂ、７ｂを剥がさず、そのまま使用するマスクＭを提供することができ、マスクＭの使用の選択ができ、しかも、剥離紙付き上両面テープ６（又は，剥離紙付き下両面テープ７）は、一端を左取付体４とマスク本体１との間に、他端を右取付体５とマスク本体１との間に位置し、マスク本体１の上端縁に平行に沿って設けられているため、剥離紙付き上両面テープ６（又は，剥離紙付き下両面テープ７）の取り付けが強固で、剥離紙付き上両面テープ６（又は，剥離紙付き下両面テープ７）がマスク本体１から離脱するのを防ぎ、仮に、剥離紙６ｂ、７ｂを剥がす際、誤って、粘着部６ａ、７ａを剥がしても、剥離紙付き上両面テープ６（又は，剥離紙付き下両面テープ７）の両端、つまり、剥離紙付き上両面テープ６（又は，剥離紙付き下両面テープ７）の一端が左取付体４とマスク本体１との間に、剥離紙付き上両面テープ６（又は，剥離紙付き下両面テープ７）の他端が右取付体５とマスク本体１との間に、それぞれ位置しているため、剥離紙付き上両面テープ６（又は，剥離紙付き下両面テープ７）がマスク本体１から離脱せず、再度、粘着部６ａ、７ａをマスク本体１に付着させて容易に手直しをすることができる。
なお、上述した実施例においては、剥離紙付き上両面テープ６、剥離紙付き下両面テープ７と２つ設けたが、本願発明にあっては、これに限らず、剥離紙付き上両面テープ６のみでも良い。かかる場合、剥離紙付き上両面テープ６は、剥離紙付き両面テープとなる。また、剥離紙付き上両面テープ６、剥離紙付き下両面テープ７と２つ設けた場合、上両面テープ６及び下両面テープ７の顔面への付着により、マスクＭを装着することができるため、左耳掛け部２及び右耳掛け部３を省略することができる。
【００１８】
（実施例２）
次に示す実施例２（図８〜図１４）は、実施例１の剥離紙付き上両面テープ６、剥離紙付き下両面テープ７に、剥離紙付き左両面テープ８、剥離紙付き右両面テープ９を付加したものである。
即ち、剥離紙付き左両面テープ８は、左取付体４の長手方向に沿うと共に、該長手方向の略全体に亘って設けられ、この剥離紙付き左両面テープ８は、一方の面の粘着部が左取付体８に付着し、他方の面の粘着部８ａに剥離紙８ｂが付着したものである。
また、剥離紙付き右両面テープ９は、右取付体５の長手方向に沿うと共に、該長手方向の略全体に亘って設けられ、この剥離紙付き右両面テープ９は、一方の面の粘着部が右取付体５に付着し、他方の面の粘着部９ａに剥離紙９ｂが付着している。なお、実施例２（図８〜図１４）においては、実施例１（図１〜図７）と同一部分に同一符号を付してその説明の一部を省略する。
【００１９】
従って、実施例２（図８〜図１４）のマスクＭによれば、剥離紙付き上両面テープ６（又は、剥離紙付き下両面テープ７、剥離紙付き左両面テープ８、剥離紙付き右両面テープ９）を使用しているため、マスクＭの装着に当たって、粘着部の使用を嫌う使用者には、剥離紙６ｂ、７ｂ、８ｂ、９ｂを剥がさず、そのまま使用するマスクＭを提供して、マスクＭの使用の選択ができ、しかも、剥離紙付き上両面テープ６（又は、剥離紙付き下両面テープ７）は、一端を左取付体４とマスク本体１との間に、他端を右取付体５とマスク本体１との間に位置し、マスク本体１の上端縁に平行に沿って設けられているため、剥離紙付き上両面テープ６（又は、剥離紙付き下両面テープ７）の取り付けが強固で、剥離紙付き上両面テープ６（又は、剥離紙付き下両面テープ７）がマスク本体１から離脱するのを防ぎ、仮に、剥離紙６ｂ、７ｂ、を剥がす際、誤って、粘着部を剥がしても、剥離紙付き上両面テープ６（又は、剥離紙付き下両面テープ７）の両端、つまり、剥離紙付き上両面テープ６（又は、剥離紙付き下両面テープ７）の一端が左取付体４とマスク本体１との間に、剥離紙付き上両面テープ６（又は、剥離紙付き下両面テープ７）の他端が右取付体５とマスク本体１との間に、それぞれ位置しているため、剥離紙付き上両面テープ６（又は、剥離紙付き下両面テープ７）がマスク本体１から離脱せず、再度、粘着部をマスク本体１に付着させて容易に手直しをすることができ、
更に、剥離紙付き上両面テープ６、剥離紙付き下両面テープ７、剥離紙付き左両面テープ８、剥離紙付き右両面テープ９を、左取付体４及び右取付体５を介在させて、マスク本体１の周縁を粘着部で覆い、マスク本体１を介さない空気の侵入を阻止することができる。
なお、上述した実施例においては、剥離紙付き上両面テープ６、剥離紙付き下両面テープ７、剥離紙付き左両面テープ８、剥離紙付き右両面テープ９と４つ設けた場合、上両面テープ６、下両面テープ７、左両面テープ８、右両面テープ９の顔面への付着により、マスクＭを装着することができるため、左耳掛け部２及び右耳掛け部３を省略することができる。
【図面の簡単な説明】
【００２０】
【図１】図１は、本発明の一実施例のマスクの概略的正面図である。
【図２】図２は、図１のマスクを裏面側から見た概略的図である。
【図３】図３は、図１の３−３線による概略的断面図である。
【図４】図４は、図２の４−４線による概略的断面図である。
【図５】図５は、図１のマスクを装着側から見た概略的図で、剥離紙を剥がしている状態を表している。
【図６】図６は、図５のマスクから剥離紙を剥がして装着する前の状態の概略的図である。
【図７】図７は、図６のマスクを装着した概略的断面図である。
【図８】図８は、図１のマスクと異なる他の実施例のマスクの概略的正面図である。
【図９】図９は、図８のマスクを裏面側から見た概略的図である。
【図１０】図１０は、図８の１０−１０線による概略的断面図である。
【図１１】図１１は、図９のマスクを装着側から見た概略的図で、剥離紙を剥がしている状態を表している。
【図１２】図１２は、図１１のマスクから剥離紙を剥がして装着する前の状態の概略的図である。
【図１３】図１３は、図１２のマスクを装着した概略的断面図である。
【図１４】図１４は、図１３の１４−１４線による概略的断面図である。
【符号の説明】
【００２１】
Ｍ        マスク
１        マスク本体
２        左耳掛け部
３        右耳掛け部
４        左取付体
５        右取付体
６        剥離紙付き両面テープ
６ａ      粘着部
６ｂ      剥離紙
【図１】
2010110336.tif 000003
【図２】
2010110336.tif 000004
【図３】
2010110336.tif 000005
【図４】
2010110336.tif 000006
【図５】
2010110336.tif 000007
【図６】
2010110336.tif 000008
【図７】
2010110336.tif 000009
【図８】
2010110336.tif 000010
【図９】
2010110336.tif 000011
【図１０】
2010110336.tif 000012
【図１１】
2010110336.tif 000013
【図１２】
2010110336.tif 000014
【図１３】
2010110336.tif 000015
【図１４】
2010110336.tif 000016
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
矩形形状であるマスク本体と、
このマスク本体の左端部に沿って取り付けられ、左耳掛け部の取付部である左取付体
と、
前記マスク本体の右端部に沿って取り付けられ、右耳掛け部の取付部である右取付体
と、
前記マスク本体の上端縁の近傍であって、該上端縁に平行に沿って設けられると共に
、一端を前記左取付体と前記マスク本体との間に、他端を前記右取付体と前記マスク本体
との間に位置した剥離紙付き上両面テープと、
この剥離紙付き上両面テープは、一方の面の粘着部が前記マスク本体に付着し、他方
の面の粘着部に剥離紙が付着し、
前記マスク本体の下端縁の近傍であって、該下端縁に平行に沿って設けられると共に
、一端を前記左取付体と前記マスク本体との間に、他端を前記右取付体と前記マスク本体
との間に位置した剥離紙付き下両面テープと、
この剥離紙付き下両面テープは、一方の面の粘着部が前記マスク本体に付着し、他方
の面の粘着部に剥離紙が付着し、
前記左取付体に沿って設けられた剥離紙付き左両面テープと、
この剥離紙付き左両面テープは、一方の面の粘着部が前記左取付体に付着し、他方の
面の粘着部に剥離紙が付着し、
前記右取付体に沿って設けられた剥離紙付き右両面テープと、
この剥離紙付き右両面テープは、一方の面の粘着部が前記右取付体に付着し、他方の
面の粘着部に剥離紙が付着し、
前記剥離紙付き左両面テープの一端は前記左取付体の上端縁に、前記剥離紙付き左両面テープの他端は前記左取付体の下端縁に、それぞれ位置し、
前記剥離紙付き右両面テープの一端は前記右取付体の上端縁に、前記剥離紙付き右両面テープの他端は前記右取付体の下端縁に、それぞれ位置している
ことを特徴とするてマスク。
【請求項２】
矩形形状であるマスク本体と、
このマスク本体の左端部を覆うと共に、前記マスク本体の左端部に沿って取り付けら
れた左取付体と、
前記マスク本体の右端部を覆うと共に、前記マスク本体の右端部に沿って取り付けら
れた右取付体と、                                                  ．．
前記マスク本体の上端縁の近傍であって、該上端縁に平行に沿って設けられると共に
、一端を前記左取付体と前記マスク本体との間に、他端を前記右取付体と前記マスク本体
との間に位置した剥離紙付き上両面テープと、
この剥離紙付き上両面テープは、一方の面の粘着部が前記マスク本体に付着し、他方
の面の粘着部に剥離紙が付着し、
前記マスク本体の下端縁の近傍であって、該下端縁に平行に沿って設けられると共に
、一端を前記左取付体と前記マスク本体との間に、他端を前記右取付体と前記マスク本体
との間に位置した剥離紙付き下両面テープと、
この剥離紙付き下両面テープは、一方の面の粘着部が前記マスク本体に付着し、他方
の面の粘着部に剥離紙が付着し、
前記左取付体に沿って設けられた剥離紙付き左両面テープと、
この剥離紙付き左両面テープは、一方の面の粘着部が前記左取付体に付着し、他方の
面の粘着部に剥離紙が付着し、
前記右取付体に沿って設けられた剥離紙付き右両面テープと、
この剥離紙付き右両面テープは、一方の面の粘着部が前記右取付体に付着し、他方の
面の粘着部に剥離紙が付着し、
前記剥離紙付き左両面テープの一端は前記左取付体の上端縁に、前記剥離紙付き左両面テープの他端は前記左取付体の下端縁に、それぞれ位置し、
前記剥離紙付き右両面テープの一端は前記右取付体の上端縁に、前記剥離紙付き右両面テープの他端は前記右取付体の下端縁に、それぞれ位置し、
左耳掛け部及び右耳掛け部を省略している
ことを特徴とするてマスク。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明のマスクは、矩形形状であるマスク本体と、このマスク本体の左端部に沿って取り付けられ、左耳掛け部の取付部である左取付体と、前記マスク本体の右端部に沿って取り付けられ、右耳掛け部の取付部である右取付体と、前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、この剥離紙付き上両面テープは、一方の面の粘着部が前記マスク本体に付着し、他方の面の粘着部に剥離紙が付着し、前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、この剥離紙付き下両面テープは、一方の面の粘着部が前記マスク本体に付着し、他方の面の粘着部に剥離紙が付着し、前記左取付体に沿って設けられた剥離紙付き左両面テープと、この剥離紙付き左両面テープは、一方の面の粘着部が前記左取付体に付着し、他方の面の粘着部に剥離紙が付着し、前記右取付体に沿って設けられた剥離紙付き右両面テープと、この剥離紙付き右両面テープは、一方の面の粘着部が前記右取付体に付着し、他方の面の粘着部に剥離紙が付着し、前記剥離紙付き左両面テープの一端は前記左取付体の上端縁に、前記剥離紙付き左両面テープの他端は前記左取付体の下端縁に、それぞれ位置し、前記剥離紙付き右両面テープの一端は前記右取付体の上端縁に、前記剥離紙付き右両面テープの他端は前記右取付体の下端縁に、それぞれ位置しているものである。
【手続補正６】
【補正対象書類名】明細書
【補正対象項目名】０００９
【補正方法】変更
【補正の内容】
【０００９】
また、請求項２記載のマスクは、矩形形状であるマスク本体と、このマスク本体の左端部を覆うと共に、前記マスク本体の左端部に沿って取り付けられた左取付体と、前記マスク本体の右端部を覆うと共に、前記マスク本体の右端部に沿って取り付けられた右取付体と、前記マスク本体の上端縁の近傍であって、該上端縁に平行に沿って設けられると共に、一端を前記左取付体と前記マスク本体との間に、他端を前記右取付体と前記マスク本体との間に位置した剥離紙付き上両面テープと、この剥離紙付き上両面テープは、一方の面の粘着部が前記マスク本体に付着し、他方の面の粘着部に剥離紙が付着し、前記マスク本体の下端縁の近傍であって、該下端縁に平行に沿って設けられると共に、一端を前記左取付体と前記マスク本体との間に、他端を前記右取付体と前記マスク本体との間に位置した剥離紙付き下両面テープと、この剥離紙付き下両面テープは、一方の面の粘着部が前記マスク本体に付着し、他方の面の粘着部に剥離紙が付着し、前記左取付体に沿って設けられた剥離紙付き左両面テープと、この剥離紙付き左両面テープは、一方の面の粘着部が前記左取付体に付着し、他方の面の粘着部に剥離紙が付着し、前記右取付体に沿って設けられた剥離紙付き右両面テープと、この剥離紙付き右両面テープは、一方の面の粘着部が前記右取付体に付着し、他方の面の粘着部に剥離紙が付着し、前記剥離紙付き左両面テープの一端は前記左取付体の上端縁に、前記剥離紙付き左両面テープの他端は前記左取付体の下端縁に、それぞれ位置し、前記剥離紙付き右両面テープの一端は前記右取付体の上端縁に、前記剥離紙付き右両面テープの他端は前記右取付体の下端縁に、それぞれ位置し、左耳掛け部及び右耳掛け部を省略しているものである。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
請求項１記載のマスクによれば、剥離紙付き上両面テープ（又は、剥離紙付き下両面テープ、剥離紙付き左両面テープ、剥離紙付き右両面テープ）を使用しているため、マスクの装着に当たって、粘着部の使用を嫌う使用者には、剥離紙を剥がさず、そのまま使用するマスクを提供して、マスクの使用の選択ができ、しかも、剥離紙付き上両面テープ（又は、剥離紙付き下両面テープ）は、一端を左取付体とマスク本体との間に、他端を右取付体とマスク本体との間に位置し、マスク本体の上端縁に平行に沿って設けられているため、剥離紙付き上両面テープ（又は、剥離紙付き下両面テープ）の取り付けが強固で、剥離紙付き上両面テープ（又は剥離紙付き下両面テープ）がマスク本体から離脱するのを防ぎ、仮に、剥離紙を剥がす際、誤って、粘着部を剥がしても、剥離紙付き上両面テープ（又は、剥離紙付き下両面テープ）の両端、つまり剥離紙付き上両面テープ（又は、剥離紙付き下両面テープ）の一端が左取付体とマスク本体との間に、剥離紙付き上両面テープ（又は、剥離紙付き下両面テープ）の他端が右取付体とマスク本体との間に、それぞれ位置しているため、剥離紙付き上両面テープ（又は、剥離紙付き下両面テープ）がマスク本体から離脱せず、再度、粘着部をマスク本体に付着させて容易に手直しをすることができ、更に、剥離紙付き上両面テープ、剥離紙付き下両面テープ、剥離紙付き左両面テープ、剥離紙付き右両面テープを、左取付体及び右取付体を介在させて、マスク本体の周縁を粘着部で覆い、マスク本体を介さない空気の侵入を阻止することができる。
【手続補正１１】
【補正対象書類名】明細書
【補正対象項目名】００１４
【補正方法】変更
【補正の内容】
【００１４】
また、請求項２記載の使い捨てマスクによれば、前述した請求項１記載の発明の効果
に加え、上両面テープ、下両面テープ、左両面テープ及び右両面テープの顔面への付着に
より、マスクを装着することができるため、左耳掛け部及び右耳掛け部を省略することが
できる。